【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
仮想商店が取り扱う商品の提供方法を示す提供方法情報を一以上含む提供方法リストを記憶するリストデータベースと、
前記商品を識別する商品情報と前記リストデータベースから読み出した提供方法リストとを関連付けるための入力画面を前記仮想商店の店舗端末に提供する画面提供手段と、
前記店舗端末において前記入力画面を介して入力された、商品情報と提供方法リストとの対応関係を示す対応情報を商品提供方法データベースに格納する格納手段と、
前記仮想商店にアクセスしたユーザ端末において該仮想商店の特定の商品が選択された場合に、該商品に対応する提供方法リストを前記商品提供方法データベースから読み出し、該提供方法リストに含まれる提供方法情報を該ユーザ端末に送信する抽出手段と、
を備える電子商取引システム。
【請求項２】
前記仮想商店は、複数の仮想商店によって構成される仮想商店街に加盟する加盟店であって、
前記格納手段は、前記対応情報を、前記加盟店を識別する加盟店情報と関連付けて前記商品提供方法データベースに格納し、
前記抽出手段は、前記仮想商店にアクセスした前記ユーザ端末において前記特定の商品が選択された場合に、前記仮想商店に対応すると共に前記特定の商品にも対応する提供方法リストを前記商品提供方法データベースから読み出す、
請求項１に記載の電子商取引システム。
【請求項３】
前記提供方法情報を記憶する提供方法データベースを更に備え、
前記画面提供手段が更に、前記提供方法データベースから読み出した提供方法情報を一以上含む前記提供方法リストを作成するためのリスト設定画面を前記店舗端末に提供し、
前記格納手段が更に、前記リスト設定画面を介して入力された前記提供方法リストを前記仮想商店と関連付けて前記リストデータベースに格納する、
請求項１又は２に記載の電子商取引システム。
【請求項４】
前記リスト設定画面が、前記仮想商店に対応する前記提供方法情報の集合を表示する領域と、該集合から一又は複数の提供方法情報を選択するための入力インタフェースとを有する、
請求項３に記載の電子商取引システム。
【請求項５】
前記画面提供手段が更に、前記提供方法情報を作成するための提供方法設定画面を前記店舗端末に提供し、
前記格納手段が更に、前記提供方法設定画面を介して入力された提供方法情報を前記仮想商店と関連付けて前記提供方法データベースに格納する、
請求項３又は４に記載の電子商取引システム。
【請求項６】
前記入力画面が、前記仮想商店に対応する前記提供方法リストの集合を表示する領域と、該集合から一つの提供方法リストを選択するための入力インタフェースとを有する、
請求項１〜５のいずれか一項に記載の電子商取引システム。
【請求項７】
前記提供方法情報が、前記商品の決済方法を示す決済方法情報、又は前記商品の配送方法を示す配送方法情報を含む、
請求項１〜６のいずれか一項に記載の電子商取引システム。
【請求項８】
前記提供方法情報が、前記商品の決済方法を示す決済方法情報と、前記商品の配送方法を示す配送方法情報とを含み、
前記リスト設定画面が、前記仮想商店に対応する前記決済方法情報の集合を第１の集合として表示する領域と、該第１の集合から一又は複数の決済方法情報を選択するための入力インタフェースと、前記仮想商店に対応する前記配送方法情報の集合を第２の集合として表示する領域と、該第２の集合から一又は複数の配送方法情報を選択するための入力インタフェースとを有する、
請求項４に記載の電子商取引システム。
【請求項９】
前記格納手段が、前記商品を提供する地域を識別する地域情報を前記対応情報に関連付けて前記商品提供方法データベースに格納し、
前記抽出手段が、前記特定の商品に対応すると共に該商品を提供する地域にも対応する提供方法リストを前記商品提供方法データベースから読み出す、
請求項１〜８のいずれか一項に記載の電子商取引システム。
【請求項１０】
電子商取引システムにより実行される電子商取引方法であって、
仮想商店が取り扱う商品を識別する商品情報と、リストデータベースから読み出した、前記商品の提供方法を示す提供方法情報を一以上含む提供方法リストとを関連付けるための入力画面を前記仮想商店の店舗端末に提供する画面提供ステップと、
前記店舗端末において前記入力画面を介して入力された、商品情報と提供方法リストとの対応関係を示す対応情報を商品提供方法データベースに格納する格納ステップと、
前記仮想商店にアクセスしたユーザ端末において該仮想商店の特定の商品が選択された場合に、該商品に対応する提供方法リストを前記商品提供方法データベースから読み出し、該提供方法リストに含まれる提供方法情報を該ユーザ端末に送信する抽出ステップと、
を含むことを特徴とする電子商取引方法。
【請求項１１】
コンピュータに、
仮想商店が取り扱う商品の提供方法を示す提供方法情報を一以上含む提供方法リストを記憶するリストデータベースの機能と、
前記商品を識別する商品情報と前記リストデータベースから読み出した提供方法リストとを関連付けるための入力画面を前記仮想商店の店舗端末に提供する画面提供機能と、
前記店舗端末において前記入力画面を介して入力された、商品情報と提供方法リストとの対応関係を示す対応情報を商品提供方法データベースに格納する格納機能と、
前記仮想商店にアクセスしたユーザ端末において該仮想商店の特定の商品が選択された場合に、該商品に対応する提供方法リストを前記商品提供方法データベースから読み出し、該提供方法リストに含まれる提供方法情報を該ユーザ端末に送信する抽出機能と、
を実現させるための電子商取引プログラム。
【手続補正２】
【補正対象書類名】明細書
【補正対象項目名】０００６
【補正方法】変更
【補正の内容】
【０００６】
本発明の電子商取引システムは、仮想商店が取り扱う商品の提供方法を示す提供方法情報を一以上含む提供方法リストを記憶するリストデータベースと、商品を識別する商品情報とリストデータベースから読み出した提供方法リストとを関連付けるための入力画面を仮想商店の店舗端末に提供する画面提供手段と、店舗端末において入力画面を介して入力された、商品情報と提供方法リストとの対応関係を示す対応情報を商品提供方法データベースに格納する格納手段と、仮想商店にアクセスしたユーザ端末において該仮想商店の特定の商品が選択された場合に、該商品に対応する提供方法リストを商品提供方法データベースから読み出し、該提供方法リストに含まれる提供方法情報を該ユーザ端末に送信する抽出手段と、を備える。
【手続補正３】
【補正対象書類名】明細書
【補正対象項目名】０００７
【補正方法】変更
【補正の内容】
【０００７】
また、本発明の電子商取引方法は、電子商取引システムにより実行される電子商取引方法であって、仮想商店が取り扱う商品を識別する商品情報と、リストデータベースから読み出した、商品の提供方法を示す提供方法情報を一以上含む提供方法リストとを関連付けるための入力画面を仮想商店の店舗端末に提供する画面提供ステップと、店舗端末において入力画面を介して入力された、商品情報と提供方法リストとの対応関係を示す対応情報を商品提供方法データベースに格納する格納ステップと、仮想商店にアクセスしたユーザ端末において該仮想商店の特定の商品が選択された場合に、該商品に対応する提供方法リストを商品提供方法データベースから読み出し、該提供方法リストに含まれる提供方法情報を該ユーザ端末に送信する抽出ステップと、を含むことを特徴とする。
【手続補正４】
【補正対象書類名】明細書
【補正対象項目名】０００８
【補正方法】変更
【補正の内容】
【０００８】
また、本発明の電子商取引プログラムは、コンピュータに、仮想商店が取り扱う商品の提供方法を示す提供方法情報を一以上含む提供方法リストを記憶するリストデータベースの機能と、商品を識別する商品情報とリストデータベースから読み出した提供方法リストとを関連付けるための入力画面を仮想商店の店舗端末に提供する画面提供機能と、店舗端末において入力画面を介して入力された、商品情報と提供方法リストとの対応関係を示す対応情報を商品提供方法データベースに格納する格納機能と、仮想商店にアクセスしたユーザ端末において該仮想商店の特定の商品が選択された場合に、該商品に対応する提供方法リストを商品提供方法データベースから読み出し、該提供方法リストに含まれる提供方法情報を該ユーザ端末に送信する抽出機能と、を実現させる。
【手続補正５】
【補正対象書類名】明細書
【補正対象項目名】００１２
【補正方法】変更
【補正の内容】
【００１２】
本発明の電子商取引システムは、提供方法情報を記憶する提供方法データベースを更に備え、画面提供手段が更に、提供方法データベースから読み出した提供方法情報を一以上含む提供方法リストを作成するためのリスト設定画面を店舗端末に提供し、格納手段が更に、リスト設定画面を介して入力された提供方法リストを仮想商店と関連付けてリストデータベースに格納してもよい。
【手続補正６】
【補正対象書類名】明細書
【補正対象項目名】００１７
【補正方法】変更
【補正の内容】
【００１７】
この場合には、ある店舗のある商品について提供方法が地域毎に設定されるので、商品を提供する地域に応じた提供方法をユーザ端末において提示することができる。
本発明の電子商取引システムでは、リスト設定画面が、仮想商店に対応する提供方法情報の集合を表示する領域と、該集合から一又は複数の提供方法情報を選択するための入力インタフェースとを有してもよい。
本発明の電子商取引システムでは、画面提供手段が更に、提供方法情報を作成するための提供方法設定画面を店舗端末に提供し、格納手段が更に、提供方法設定画面を介して入力された提供方法情報を仮想商店と関連付けて提供方法データベースに格納してもよい。
本発明の電子商取引システムでは、入力画面が、仮想商店に対応する提供方法リストの集合を表示する領域と、該集合から一つの提供方法リストを選択するための入力インタフェースとを有してもよい。
本発明の電子商取引システムでは、提供方法情報が、商品の決済方法を示す決済方法情報と、商品の配送方法を示す配送方法情報とを含み、リスト設定画面が、仮想商店に対応する決済方法情報の集合を第１の集合として表示する領域と、該第１の集合から一又は複数の決済方法情報を選択するための入力インタフェースと、仮想商店に対応する配送方法情報の集合を第２の集合として表示する領域と、該第２の集合から一又は複数の配送方法情報を選択するための入力インタフェースとを有してもよい。